(57)【要約】【課題】同一形状の金属板が隙間を有して重なって複数個配置される金属板集合体の金属板に用いられるものであって、金属板の平坦部の面積が小さくても、所要の隙間が確保できる突起を形成することができるプレス加工品を提供する。【解決手段】このプレス加工品１は、同一形状の金属板が隙間を有して重なって複数個配置される金属板集合体の金属板に用いられるものであって、一方の面１ａから突出し前記隙間を確保する突起２が平坦部３に形成され、突起２は、端面２０に中央窪み部２０ａが形成されており、突起２が形成されている面１ａの反対側の面１ｂには、突起２よりも径が小さい凹部６が形成されている。【選択図】図３
2018114547.tif 000002
【特許請求の範囲】
【請求項１】
同一形状の金属板が隙間を有して重なって複数個配置される金属板集合体の金属板に用いられるものであって、
一方の面から突出し前記隙間を確保する突起が平坦部に形成され、
前記突起は、端面に中央窪み部が形成されており、
前記突起が形成されている面の反対側の面には、前記突起よりも径が小さい凹部が形成されていることを特徴とするプレス加工品。
【請求項２】
請求項１に記載のプレス加工品において、
前記突起の高さは、前記平坦部の厚さよりも大きいことを特徴とするプレス加工品。
【請求項３】
請求項１又は２に記載のプレス加工品において、
前記中央窪み部の内周面は、傾斜面を有していることを特徴とするプレス加工品。
【請求項４】
請求項３に記載のプレス加工品において、
前記中央窪み部の内周面は、傾斜角の異なる複数個の傾斜面を有していることを特徴とするプレス加工品。
【請求項５】
請求項１〜４のいずれか１項に記載のプレス加工品において、
前記凹部の開口側に、前記突起よりも径が大きい開口部凹部が形成されていることを特徴とするプレス加工品。
【請求項６】
請求項１〜５のいずれか１項に記載のプレス加工品を製造するプレス加工品製造方法であって、
前記突起の外周面の形状が内周面の形状であるダイ穴が設けられ、該ダイ穴の内方に前記中央窪み部の内周面及び底面の形状を有するノックアウトが設けられたダイに、前記金属板を接触させ、前記凹部の内周面及び底面の形状を有するパンチを押し当て、金属を前記突起に塑性流動させることにより前記突起を形成することを特徴とするプレス加工品製造方法。
【発明の詳細な説明】
【技術分野】
【０００１】
本発明は、同一形状の金属板が隙間を有して重なって複数個配置される金属板集合体の金属板に用いられるプレス加工品及びそのプレス加工品製造方法に関するものである。
【背景技術】
【０００２】
プレス加工品は、隙間を有して複数個配置される同一形状の金属板に用いられる場合がある。例えば、このような金属板集合体の金属板間の隙間に流体（例えば、水など）を流し、複数個の金属板を介して電子部品などを冷却する冷却装置が知られている。冷却装置における金属板は、効率よく流体により冷却できるように様々な形状が可能である。例えば、特許文献１では、金属板集合体の金属板に複数個の孔を形成している。また、図６に示すように、金属板集合体の金属板が波形状の波部を有するようにし、波形状で流体との接触面積を増加させることによって、効率よく冷却することもできる。なお、図６においては、金属板集合体を符号１１０、金属板を符号１０１、波部を符号１０４で示している。
【０００３】
このような金属板集合体は、金属板の隙間を精度良く一定に保つために、一般には、金属板集合体の製作用治具に各金属板を１枚ずつ配置した後に、棒体などの固定部材を各金属板に直交させて溶接又はかしめなどにより固定する。一方、製作用治具を用いないものでは、例えば、特許文献２に、金属板集合体を構成する複数個の金属板に、金属板の隙間を精度良く保つための突起を形成した振動減衰装置が開示されている。ここでは、図７に示すように、金属板の円柱状の突起が形成される面の反対側の面に、突起よりも径が大きく、かつ、深さが浅い凹部が形成された金属板集合体の例も開示されている。なお、図７においては、金属板集合体を符号２１０、金属板を符号２０１、突起を符号２０２、凹部を符号２０６で示している。
【先行技術文献】
【特許文献】
【０００４】
【特許文献１】特開２００４−２７０９７０号公報
【特許文献２】特開２００３−４０９３号公報
【発明の概要】
【発明が解決しようとする課題】
【０００５】
特許文献２に開示されるように金属板に突起を形成すると、製作用治具における各金属板の配置のような手作業が必要でなく、かつ、隙間の精度をより良く保つことができる。
【０００６】
図７に示すような円柱状の突起は、プレス加工機のダイとパンチを用いて、突起が形成される面に突起に対応するダイ穴を有するダイを接触させ、突起が形成される面の反対側の面にパンチを押し当てて突起と略同一体積分だけ凹ませて凹部を形成し金属材料を突起に塑性流動させることにより、形成することができる。金属板の隙間は、突起の高さから突起の位置（金属板の面方向の位置）での凹部の深さを引いた長さとなる。
【０００７】
しかし、図６で示したような波部を有するような金属板では、図７で示したような凹部を形成できる平坦部の面積が小さく、金属板の隙間を大きくすることは困難である。
【０００８】
本発明は、係る事由に鑑みてなされたものであり、その目的は、同一形状の金属板が隙間を有して重なって複数個配置される金属板集合体の金属板に用いられるものであって、金属板の平坦部の面積が小さくても、所要の隙間が確保できる突起を形成することができるプレス加工品及びプレス加工品製造方法を提供することである。
【課題を解決するための手段】
【０００９】
上記目的を達成するために、請求項１に記載のプレス加工品は、同一形状の金属板が隙間を有して重なって複数個配置される金属板集合体の金属板に用いられるものであって、一方の面から突出し前記隙間を確保する突起が平坦部に形成され、前記突起は、端面に中央窪み部が形成されており、前記突起が形成されている面の反対側の面には、前記突起よりも径が小さい凹部が形成されていることを特徴とする。
【００１０】
請求項２に記載のプレス加工品は、請求項１に記載のプレス加工品において、前記突起の高さは、前記平坦部の厚さよりも大きいことを特徴とする。
【００１１】
請求項３に記載のプレス加工品は、請求項１又は２に記載のプレス加工品において、前記中央窪み部の内周面は、傾斜面を有していることを特徴とする。
【００１２】
請求項４に記載のプレス加工品は、請求項３に記載のプレス加工品において、前記中央窪み部の内周面は、傾斜角の異なる複数個の傾斜面を有していることを特徴とする。
【００１３】
請求項５に記載のプレス加工品は、請求項１〜４のいずれか１項に記載のプレス加工品において、前記凹部の開口側に、前記突起よりも径が大きい開口部凹部が形成されていることを特徴とする。
【００１４】
請求項６に記載のプレス加工品製造方法は、請求項１〜５のいずれか１項に記載のプレス加工品を製造するプレス加工品製造方法であって、前記突起の外周面の形状が内周面の形状であるダイ穴が設けられ、該ダイ穴の内方に前記中央窪み部の内周面及び底面の形状を有するノックアウトが設けられたダイに、前記金属板を接触させ、前記凹部の内周面及び底面の形状を有するパンチを押し当て、金属を前記突起に塑性流動させることにより前記突起を形成することを特徴とする。
【発明の効果】
【００１５】
本発明に係るプレス加工品及びプレス加工品製造方法によれば、同一形状の金属板が隙間を有して重なって複数個配置される金属板集合体の金属板に用いられるものであって、金属板の平坦部の面積が小さくても、所要の隙間が確保できる突起を形成することができる。
【図面の簡単な説明】
【００１６】
【図１】本発明の実施形態に係るプレス加工品を示すものであって、（ａ）が平面図、（ｂ）が側面図、（ｃ）が底面図である。
【図２】同上のプレス加工品の金属板集合体を示す側面図である。
【図３】同上のプレス加工品の突起とその周辺を拡大して示す断面図である。
【図４Ａ】同上のプレス加工品の突起の形成の様子を示す側面視断面図であって、突起の形成前を示すものである。
【図４Ｂ】同上のプレス加工品の突起の形成の様子を示す側面視断面図であって、突起の形成後を示すものである。
【図５】同上のプレス加工品の変形例の突起とその周辺を拡大して示す断面図である。
【図６】従来の金属板集合体の例を示す側面図である。
【図７】従来の金属板集合体の別の例を示す側面視断面図である。
【発明を実施するための形態】
【００１７】
本発明の実施形態を、以下説明する。本発明の実施形態に係るプレス加工品１は、図１（ａ）〜（ｃ）に示すように、その一方の面１ａから突出する突起２が平坦部３に形成されている金属板である。本実施形態では、プレス加工品１は、波形状の波部４を有しており、平坦部３は波部４の両端部（図においては波部４の左右の端部）に設けられている。なお、図中の符号５で示すものは、棒体などの固定部材（図示せず）を直交させて（一方の面１ａ及び後述する他方の面１ｂに直交させて）配置し、それに溶接又はかしめなどにより固定するための穴部である。
【００１８】
プレス加工品１は、図２に示すように、同一形状の金属板が隙間Ｇを有して重なって複数個配置される金属板集合体１０の金属板に用いられる。突起２は、所要の隙間Ｇを確保するためのもので、複数個のプレス加工品１を重ねるだけで、隙間Ｇを一定に保つようにできる。
【００１９】
突起２は、略円柱状のものである。また、突起２は、図３に示すように、端面２０に中央窪み部２０ａが形成されている。また、一方の面（突起２が形成されている面）１ａの反対側の面（他方の面）１ｂには、凹部６が形成されている。凹部６は、突起２と同心状に形成されている。凹部６の径Ｄ６は、突起２の径Ｄ２よりも小さい。なお、図３は、突起２の中心軸を含む面で切断した断面図である。
【００２０】
ここで、突起２を形成する際のプレス加工について説明する。このプレス加工では、図４Ａに示すようなダイ７とパンチ８が用いられる。ダイ７は、突起２の外周面の形状が内周面の形状であるダイ穴７ａが設けられ、このダイ穴７ａの内方に中央窪み部２０ａの内周面２０ａａ及び底面の形状を有するノックアウト７ｂが設けられている。パンチ８は、凹部６の内周面６ａ及び底面の形状を有している。プレス加工品１である金属板は、ダイ７に接触して載置され、凹部６を形成する位置にパンチ８が押し当てられ、図４Ｂに示すように、金属材料は突起２に塑性流動する。そして、凹部６の容積分の金属材料が突起２に塑性流動することにより、突起２が形成される。なお、ノックアウト７ｂは、バネ体を介してダイ７の本体部に結合するなどして、パンチ８がプレス加工品１に押し当てられたときに少し移動できるようにしている。
【００２１】
このように、１回のプレス加工で精度の良い突起２が形成でき、しかも、金属の切り粉や抜きカスが発生することもない。  
【００２２】
突起２には中央窪み部２０ａが形成されているため、金属材料は、中央窪み部２０ａの高さまで塑性流動した後は、端面２０の周縁部２０ｂに塑性流動して突起２を形成する。従って、凹部６の径Ｄ６が突起２の径Ｄ２よりも小さく、つまり凹部６の容積が小さくても、高さ（詳細には、突起２の端面２０の周縁部２０ｂの高さ）Ｈ２が高い（大きな）突起２を形成することができる。突起２の高さＨ２は、平坦部３の厚さＴ３よりも大きくすることが可能である。
【００２３】
金属板集合体１０においては、プレス加工品１の突起２の端面２０の周縁部２０ｂは、隣接する他のプレス加工品１の平坦部３の他方の面１ｂの凹部６が形成されていない部分に接する。従って、突起２の高さＨ２が、プレス加工品１の隙間Ｇの距離ＬＧとなる。
【００２４】
このような突起２と凹部６の構造により、金属板（プレス加工品１）の平坦部３の面積が小さくても、所要の隙間Ｇが確保できる。
【００２５】
中央窪み部２０ａの内周面２０ａａは、周縁部２０ｂに近づくに従って径が拡大する傾斜面を有していることが好ましい。そうすることにより、突起２の強度を高くすることができるとともに、突起２の形成時に金属の流れをスムーズにして欠陥等が発生し難くすることができる。
【００２６】
更には、中央窪み部２０ａの内周面２０ａａは、突起２の強度及び突起２の形成時の金属の流れなどを総合的に良くするよう、傾斜角の異なる複数個の傾斜面（後述する図５の内周面２０ａａ参照）を有するようにすることも可能である。
【００２７】
また、凹部６の開口側に、図５に示すように、開口部凹部９を形成することができる。開口部凹部９は、凹部６と同心状に連続して形成される。開口部凹部９の径は、突起２の径Ｄ２に対し僅かに大きい。そうすると、金属板集合体１０において、隣接する他のプレス加工品１の突起２の端面２０の周縁部２０ｂが、開口部凹部９の内周面と凹部６の内周面６ａとの間の段部９ａに接触して載置できるようにすることで、プレス加工品１の他方の面１ｂ方向（他方の面１ｂに沿った方向）への他のプレス加工品１のずれを防止することができる。なお、この場合、プレス加工の突起２を形成する際には、パンチ８は、凹部６と開口部凹部９の形状に対応する形状を有しており、凹部６と開口部凹部９の容積分の金属材料が突起２に塑性流動することになる。
【００２８】
以上、本発明の実施形態に係るプレス加工品について説明したが、本発明は、上述した実施形態に記載したものに限られることなく、特許請求の範囲に記載した事項の範囲内でのさまざまな変更が可能である。
【符号の説明】
【００２９】
１    プレス加工品（金属板）
１ａ  プレス加工品の一方の面
１ｂ  プレス加工品の他方の面
２    突起
２０  突起の端面
２０ａ  中央窪み部
２０ａａ  中央窪み部の内周面
２０ｂ  周縁部
３    平坦部
４    波部
６    凹部
６ａ  凹部の内周面
７    ダイ
７ａ  ダイ穴
７ｂ  ノックアウト
８    パンチ
９    開口部凹部
９ａ  開口部凹部の内周面と凹部の内周面との間の段部
１０    金属板集合体
Ｇ    プレス加工品の隙間
Ｄ２  突起の径
Ｄ６  凹部の径
Ｈ２  突起の高さ
ＬＧ  プレス加工品の隙間の距離
Ｔ３  平坦部の厚さ
【図１】
2018114547.tif 000003
【図２】
2018114547.tif 000004
【図３】
2018114547.tif 000005
【図４Ａ】
2018114547.tif 000006
【図４Ｂ】
2018114547.tif 000007
【図５】
2018114547.tif 000008
【図６】
2018114547.tif 000009
【図７】
2018114547.tif 000010